(57)【要約】【課題】  手動で効率よく充電が可能な電源装置を提供する。【解決手段】  電源装置１２の手動充電機構１６に対して、ユーザの引っ張り操作やケーブル２７の巻き戻し動作により回転軸２３が回転して発電するモータ装置２１と、ケーブル２７を引っ張り操作するためのハンドル部２２内に設けられ、ユーザの引っ張り操作やケーブル２７の巻き戻し動作により振動することで発電する発電部を備えた第２の発電機構３０を設ける。これにより、ハンドル部２２を把持してケーブル２７を引っ張るという、一種類の充電操作で、複数の発電機構（＝上記モータ装置２１及び第２の発電機構３０）を動作させて、二次電池１５に対して充電を行うことができる。従って、上記複数の発電機構により、効率よく二次電池１５を充電することができ、充電時間の短縮化を図ることができる。【選択図】  図２
2007110818.tif 000002
【特許請求の範囲】
【請求項１】
手動充電操作に対応して発電する第１の発電手段と、
上記手動充電操作を行う際に把持するハンドル手段と、
上記ハンドル手段内に設けられ、上記手動充電操作に対応して発電する第２の発電手段と、
少なくとも上記第１及び上記第２の各発電手段で発電された電力を二次電池に供給して充電を行う電力供給手段と
を有する手動充電装置。
【請求項２】
請求項１に記載の手動充電装置であって、
上記第１の発電手段は、
回転軸が回転することで発電するモータ装置と、
一端部が上記ハンドル手段に対して電気的、かつ、物理的に接続された電気ケーブルと、
上記電気ケーブルの他端部が電気的、かつ、物理的に接続されると共に、該電気ケーブルが巻き付けられる巻き付け回転軸を備え、上記手動充電操作である引っ張り操作により上記電気ケーブルが引っ張られた際に、該電気ケーブルを介して伝達される引張力を回転力に変換して上記モータ装置の回転軸に伝達して回転させる伝達手段と、
上記引っ張り操作により引き出された上記電気ケーブルを、上記巻き付け回転軸に巻き戻すための巻き戻し機構とを有し、
上記第２の発電手段は、
磁石と、
上記磁石を移動経路に沿って移動自在に支持する磁石支持部材と、
上記磁石支持部材の移動経路上に設けられたコイルとを有し、
上記電気ケーブルを引っ張り操作した際に、この引っ張り操作に対応して上記磁石が上記磁石支持部材の移動経路に沿って移動することで上記コイルに発生する電力を、上記電気ケーブルの一端部を介して出力すること
を特徴とする手動充電装置。
【請求項３】
請求項１に記載の手動充電装置であって、
上記第１の発電手段は、
上記ハンドル手段が固定して設けられ、該ハンドル手段を上記手動充電操作である回転操作することで回転する回転板と、
回転軸が回転することで発電するモータ装置と、
一端部が上記回転板の回転軸と同軸となるように、該回転板に固定して設けられ、他端部が、上記モータ装置の回転軸に対して固定されて設けられることで、上記回転板の回転力を上記モータ装置の回転軸に伝達する回転接続部材とを有し、
上記第２の発電手段は、
磁石と、
上記ハンドル手段を回転操作した際に、上記磁石を移動経路に沿って移動自在に支持する磁石支持部材と、
上記磁石支持部材の移動経路上に設けられたコイルと、
上記磁石が移動経路に沿って移動することで上記コイルに発生する電力を、上記第１の発電手段の回転接続部材の内部に引導するための電気ケーブルと、
上記回転接続部材の内部において一端部が上記電気ケーブルと接続されると共に、他端部が該回転接続部材から外部に突出するように、該回転接続部材に固定して設けられたブラシ部と、
上記回転接続部材の回転と共に回転する上記ブラシ部に対して常時接触することで、上記コイルで発生した電力を取り出すためのブラシ受け固定部材とを有すること
を特徴とする手動充電装置。
【請求項４】
請求項２又は請求項３に記載の手動充電装置であって、
上記第２の発電手段に設けられたコイルで発生した電力の電圧を、所定の電圧に増圧して出力する増圧手段とを有し、
上記電力供給手段は、上記第１及び上記第２の各発電手段からの電力の電圧を、一定の電圧に整圧して上記二次電池に供給する整圧手段を有すること
を特徴とする手動充電装置。
【請求項５】
手動充電操作に対応して発電する第１の発電手段と共に、上記手動充電操作を行う際に把持するハンドル手段内に、上記手動充電操作に対応して発電する第２の発電手段を設け、
上記手動充電操作に対応する電力を、少なくとも上記第１及び上記第２の各発電手段で発生させて二次電池の充電を行うこと
を特徴とする手動充電方法。
【請求項６】
手動充電操作に対応して発電する第１の発電手段と、
上記手動充電操作を行う際に把持するハンドル手段と、
上記ハンドル手段内に設けられ、上記手動充電操作に対応して発電する第２の発電手段と、
少なくとも上記第１及び上記第２の各発電手段で発電された電力を二次電池に供給して充電を行う電力供給手段と
を備えた電源装置を有すること
を特徴とする携帯端末装置。
【請求項７】
請求項６に記載の携帯端末装置であって、
上記電源装置は、当該携帯端末装置に内蔵され、或いは当該携帯端末装置の充電端子を介して外部接続可能となっていること
を特徴とする携帯端末装置。
【発明の詳細な説明】
【技術分野】
【０００１】
本発明は、主に携帯型の電子機器である、例えばラジオ受信装置、テレビジョン受像機、記憶媒体の再生（記録）装置、電子カメラ装置、携帯電話機、ノート型のパーソナルコンピュータ装置等に対して一体的或いは外付けのかたちで設けられる電源装置に適用して好適な手動充電装置、及び手動充電方法に関し、特に手動で行う充電操作に対応して充電動作を行う複数の充電機構を設けることで、充電操作に対する充電効率を格段に向上させた手動充電装置、及び手動充電方法に関する。
また、本発明は、例えば携帯電話機、ＰＨＳ電話機（PHS：Personal Handyphone System）、ＰＤＡ装置（PDA：Personal Digital Assistant）、ノート型のパーソナルコンピュータ装置等の携帯機器に適用して好適な携帯端末装置に関し、特に手動で行う充電操作に対応して充電動作を行う複数の充電機構を設けることで、充電操作に対する充電効率を格段に向上させた携帯端末装置に関する。
【背景技術】
【０００２】
特開２０００−１６６１１２号における公開特許公報（特許文献１）において、手動で充電を可能とする移動情報端末装置の充電装置が開示されている。この充電装置の場合、充電装置を手で振り、或いは充電装置に設けられたハンドル部を回転操作することで発電するようになっている。
【０００３】
【特許文献１】特開２０００−１６６１１２号公報（第３頁：図１、図４，図６）
【発明の開示】
【発明が解決しようとする課題】
【０００４】
しかし、特許文献１に開示されている充電装置の場合、充電機構が一つのみである。このため、手動操作に対する発電量が乏しく、充電に時間を要する問題があった。
【０００５】
本発明は上述の課題に鑑みてなされたものであり、手動操作に対応して充電動作を行う複数の充電機構を設けることで、効率よく充電を行い、充電時間の短縮化を図ることができるような手動充電装置、手動充電方法、及び携帯端末装置の提供を目的とする。
【課題を解決するための手段】
【０００６】
本発明に係る手動充電装置は、上述の課題を解決するための手段として、
手動充電操作に対応して発電する第１の発電手段と、
上記手動充電操作を行う際に把持するハンドル手段と、
上記ハンドル手段内に設けられ、上記手動充電操作に対応して発電する第２の発電手段と、
少なくとも上記第１及び上記第２の各発電手段で発電された電力を二次電池に供給して充電を行う電力供給手段と
を有する手動充電装置。
【０００７】
また、本発明に係る手動充電方法は、上述の課題を解決するために、
手動充電操作に対応して発電する第１の発電手段と共に、上記手動充電操作を行う際に把持するハンドル手段内に、上記手動充電操作に対応して発電する第２の発電手段を設け、
上記手動充電操作に対応する電力を、少なくとも上記第１及び上記第２の各発電手段で発生させて二次電池の充電を行う。
【０００８】
また、本発明に係る携帯端末装置は、上述の課題を解決するための手段として、
手動充電操作に対応して発電する第１の発電手段と、
上記手動充電操作を行う際に把持するハンドル手段と、
上記ハンドル手段内に設けられ、上記手動充電操作に対応して発電する第２の発電手段と、
少なくとも上記第１及び上記第２の各発電手段で発電された電力を二次電池に供給して充電を行う電力供給手段と
を備えた電源装置を有する。
【０００９】
このような本発明は、一種類の手動充電操作で、複数の発電手段を動作させて二次電池を充電することで、手動充電作業の効率化を図る。
【発明の効果】
【００１０】
本発明は、一種類の手動充電操作で、複数の発電手段を動作させて二次電池を充電することができる。このため、複数の発電手段により、効率よく二次電池を充電することができ、充電時間の短縮化を図ることができる。
【発明を実施するための最良の形態】
【００１１】
本発明は、携帯電話機に適用することができる。
【００１２】
［携帯電話機の構成］
この本発明の第１の実施の形態となる携帯電話機は、図１に示すように基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための表示部５と、所定の入力操作を行うための操作部６とを有している。
【００１３】
また、この携帯電話機は、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９と、通信処理を行うための通信処理プログラム（コミュニケーションプログラム）やカメラ制御プログラム等の各種アプリケーションプログラムの他、スケジュール帳、電話帳、アドレス帳、音楽データ、静止画像データ、動画像データ、送受信した電子メールデータ等の各種データが記憶されたメモリ１０と、当該携帯電話機全体の動作を制御する制御部１１とを有している。
【００１４】
また、この携帯電話機は、商用電源を用いた充電、及び手動操作による充電が可能な電源装置１２と、電源装置１２に蓄電されている電力を当該携帯電話機の各部に供給する電力供給回路１３と、図示しない充電ユニット等に接続される充電端子１４とを有している。電源装置１２は、繰り返し充電が可能な二次電池１５と、手動操作に対応して発電し、この電力を二次電池１５に供給する手動充電機構１６とを有している。
【００１５】
〔手動充電機構の構成〕
手動充電機構１６は、図２に示すように第１の発電機構として設けられた例えば３相モータ装置であるモータ装置２１と、ハンドル部２２内に設けられた第２の発電機構との、計２つの発電機構を有している。
【００１６】
モータ装置２１は、その回転軸２３に対して小径の回転ギヤ２４が設けられており、発電した電力を、逆流防止用の整流ダイオード２８及びＤＣ／ＤＣコンバータ２９を介して二次電池１５に供給するようになっている。
【００１７】
モータ装置２１の回転ギヤ２４には、当該回転ギヤ２４と噛み合うように大径の回転ギヤ２５が設けられている。この回転ギヤ２５の回転軸２６には、ケーブル２７が設けられている。具体的には、ケーブル２７の一端部は、図３（ａ）に示すように、回転ギヤ２５の回転軸２６に対して物理的に固定されている。また、上記回転軸２６は、図３（ｂ）に示すように略円筒形状を有しており、ケーブル２７内の芯線２７ａは、この回転軸２６内の空隙部、及び逆流防止用の整流ダイオード２８を介して、図２に示すようにＤＣ／ＤＣコンバータ２９に電気的に接続されている。
【００１８】
また、ケーブル２７は、このように一端部が上記回転軸２６に固定された状態で、図２に示すように回転軸２６に所定回数分巻き付けられており、ケーブル２７の他端部は、ハンドル部２２に物理的に固定されると共に、ケーブル２７内の芯線２７ａは、図４に示すようにハンドル部２２内に設けられた第２の発電機構３０に対して電気的に接続されている。
【００１９】
この第２の発電機構３０は、ハンドル部２２の手動操作に対応して発電する発電部３１と、この発電部３１の発電による交流電圧を直流電圧に全波整流すると共に例えば４倍の電圧に変換する全波整流４倍圧回路３２とを有している。
【００２０】
発電部３１は、略円筒状の磁石３３と、この磁石３３に挿通された棒状の移動軸部３４と、この移動軸部３４に沿って磁石３３が移動した際に、電磁誘導により電力を発生するように設けられたコイル３５とを有している。
【００２１】
［電源装置に対する充電動作］
このような構成を有する当該第１の実施の形態の携帯電話機は、商用電源や電池等の外部電源から電源装置１２の二次電池１５に対して充電を行うことができる他、手動でも電源装置１２の二次電池１５に対して充電を行うことができるようになっている。
【００２２】
〔外部電源を用いた充電動作〕
まず、外部電源から電源装置１２に対して充電を行う場合、当該携帯電話機を図示しない充電ユニットに載置する。これにより、当該携帯電話機側に設けられた充電端子１４と、充電ユニット側に設けられた充電端子とが電気的に接続され、充電ユニットからの商用電源が充電端子１４及び電力供給回路１３を介して二次電池１５に供給され充電が開始される。
【００２３】
或いは、外部電源から電源装置１２に対して充電を行う場合、当該携帯電話機の充電端子１４と、電池に接続された外部端子とを接続する。これにより、電池からの電源が充電端子１４及び電力供給回路１３を介して二次電池１５に供給され充電が開始される。
【００２４】
制御部１１は、電力供給回路１３を介して二次電池１５の電圧を検出することで、該二次電池１５の蓄電量を監視しており、この電圧が所定の電圧（＝満充電時の電圧）となった際に、二次電池１５に対する電力の供給を、上記電力供給回路１３を介して停止制御する。これにより、電源装置１２の二次電池１５が満充電となった際に、該二次電池１５に対する充電が停止されることとなる。
【００２５】
〔手動操作による充電動作〕
（第１の発電機構による電力発生動作）
次に、手動操作により、電源装置１２の二次電池１５に対して充電を行う場合、ユーザは、図２に示す手動充電機構１６に設けられたハンドル部２２を把持して引っ張り操作する。上述のように、このハンドル部２２には、大径の回転ギヤ２５の回転軸２６に巻き付けられたケーブル２７が接続されている。このため、ハンドル部２２を引っ張り操作することで、この引っ張り操作による引張力がケーブル２７を介して回転ギヤ２５の回転軸２６に伝達され、回転軸２６を介して回転ギヤ２５が回転する。
【００２６】
この回転ギヤ２５の回転力は、モータ装置２１の回転軸２３に設けられた小径の回転ギヤ２４に伝達され、この回転ギヤ２４を介してモータ装置２１の回転軸２３が回転する。モータ装置２１の回転軸２３が回転すると、このモータ装置２１内において該回転軸２３に設けられたコイルを、該モータ装置２１内に設けられた磁石が発生している磁力線が横切ることとなり、いわゆる電磁誘導により電力が発生する。この電力は、逆流防止用の整流ダイオード２８を介してＤＣ／ＤＣコンバータ２９に供給される。
【００２７】
また、回転ギヤ２５の回転軸２６には、図３（ｂ）に示すように巻き戻し機構４０が設けられている。この巻き戻し機構４０は、ハンドル部２２を引っ張り操作することで引き伸ばされたケーブル２７を、再び回転軸２６に巻き戻すように、該回転軸２６を回転駆動するようになっている。
【００２８】
このため、ユーザがハンドル部２２を引っ張る力を緩めると、巻き戻し機構４０により、上記引っ張り操作による回転方向とは反対方向に回転軸２６が回転駆動される。これにより、回転軸２６を介して回転ギヤ２５が、上記引っ張り操作による回転方向とは反対方向に回転し、この回転力が小径の回転ギヤ２４を介してモータ装置２１に伝達される。そして、上述と同様にモータ装置２１から電力が発生し、この電力が逆流防止用の整流ダイオード２８を介してＤＣ／ＤＣコンバータ２９に供給される。
【００２９】
（第２の発電機構による電力発生動作）
一方、ハンドル部２２を引っ張り操作し、或いはハンドル部２２を引っ張り操作する力を緩めることで上記巻き戻し機構４０によりケーブル２７の巻き戻しが行われると、該ハンドル部２２に対して振動が加わり、図４に示す発電部３１の磁石３３が、棒状の移動軸部３４に沿って移動する。そして、この移動により、磁石３３が発生している磁力線をコイル３５が横切り、いわゆる電磁誘導によりコイル３５に電力が発生する。
【００３０】
ここで、磁石３３の移動方向は、図４に示す引っ張り方向及び巻き戻し方向で異なるため、コイル３５で発生する電力も、その電流の向きが異なるものとなる。このため、全波整流４倍圧回路３２は、コイル３５で発生した電力を整流すると共に、その電圧を４倍の電圧として出力する。この電力は、図２に示す逆流防止用の整流ダイオード２８を介してＤＣ／ＤＣコンバータ２９に供給される。
【００３１】
（整圧動作）
次に、当該第１の実施の形態の携帯電話機に設けられている手動充電機構１６のように、複数の発電機構を有する場合、各発電機構で発生する電力の電圧を一定の電圧としたうえで二次電池１５に供給することが好ましい。
【００３２】
例えば、モータ装置２１で発生する電力の電圧が１０Ｖであり、ハンドル部２２内に設けられた発電部３１で発生する電力の電圧が３Ｖであった場合、二次電池１５には、モータ装置２１からの「１０Ｖ」の電圧の電力と、発電部３１で発生した３Ｖの電圧の電力が、全波整流４倍圧回路３２で４倍の電圧とされた「１２Ｖ」の電圧の電力とが供給されることとなる。
【００３３】
このため、ＤＣ／ＤＣコンバータ２９は、上記モータ装置２１からの１０Ｖの電圧の電力を５Ｖの電圧の電力とすると共に、ハンドル部２２内に設けられた第２の発電機構３０からの１２Ｖの電圧の電力を、同じく５Ｖの電圧の電力とする等のように、各発電機構からの電力の電圧を同じ電圧値として二次電池１５に供給する。これにより、複数の発電機構で発生する電力の電圧差を是正したうえで、二次電池１５に対する充電を行うことができる。
【００３４】
（満充電の報知動作）
次に、制御部１１は、上述と同様に、電力供給回路１３を介して二次電池１５の電圧を検出することで、該二次電池１５の蓄電量を監視し、この電圧が所定の電圧（＝満充電時の電圧）となった際に、二次電池１５に対する電力の供給を、上記電力供給回路１３を介して停止制御する。これにより、電源装置１２の二次電池１５が満充電となった際に、該二次電池１５に対する充電が停止されることとなる。
【００３５】
また、制御部１１は、二次電池１５が満充電となった際に、所定の光を発光するように発光部７を発光制御し、又は（及び）所定の音声をスピーカ部３を介して発音制御する。これにより、ユーザに対して満充電を知らせることができ、満充電となった後もユーザが無駄な手動充電操作を継続する不都合を防止することができる。
【００３６】
［第１の実施の形態の効果］
以上の説明から明らかなように、本発明の第１の実施の形態となる携帯電話機は、電源装置１２の手動充電機構１６に対して、ユーザの引っ張り操作やケーブル２７の巻き戻し動作により回転軸２３が回転して発電するモータ装置２１と、ケーブル２７を引っ張り操作するためのハンドル部２２内に設けられ、ユーザの引っ張り操作やケーブル２７の巻き戻し動作により振動することで発電する発電部３１を備えた第２の発電機構３０とを有している。
【００３７】
このため、ハンドル部２２を把持してケーブル２７を引っ張るという、一種類の充電操作で、複数の発電機構（＝上記モータ装置２１及び発電部３１）を動作させて、二次電池１５に対して充電を行うことができる。従って、上記複数の発電機構により、効率よく二次電池１５を充電することができ、充電時間の短縮化を図ることができる。
【００３８】
［第２の実施の形態］
次に、本発明の第２の実施の形態となる携帯電話機の説明をする。上述の第１の実施の形態の携帯電話機は、ハンドル部２２を引っ張り操作することで充電を行う手動充電機構１６が設けられている例であったが、この第２の実施の形態の携帯電話機は、回転操作により充電を行う手動充電機構１６を設けたものである。
【００３９】
なお、上述の第１の施の形態と当該第２の実施の形態とでは、手動充電機構１６の構成のみが異なる。このため、以下の第２の実施の形態の説明では、各実施の形態の差異の部分の説明のみ行い重複した説明は省略することとする。
【００４０】
［第２の実施の形態の手動充電機構の構成］
この第２の実施の形態の携帯電話機には、図５に示すような手動充電機構１６が設けられている。この図５に示すように、第２の実施の形態の携帯電話機に設けられている手動充電機構１６は、回転操作部５１と、この回転操作部５１の回転操作に対応して発電を行う発電部５２とを有している。
【００４１】
回転操作部５１は、ユーザが指で摘んで当該回転操作部５１を回転操作するためのハンドル部５３と、円板状の回転板５４と、回転接続部材５５とを有している。回転操作部５１のハンドル部５３は、発電部５２が設けられている側に対して反対となる側に突出するように、回転板５４の外周部近傍位置に、該回転板５４に固定して設けられている。このため、このハンドル部５３をユーザが指で摘んで回転板５４の外周部方向の力を加えることにより、回転板５４が回転するようになっている。
【００４２】
発電部５２は、有底円筒形状の発電部本体５６と、ブラシ受け固定部材５７と、第１の発電機構となるモータ装置５８とを有している。
【００４３】
回転操作部５１の回転接続部材５５は、回転板５４の回転軸と同軸となるように、回転接続部材５５の一端部が回転板５４に固定して設けられている。また、この回転接続部材５５の他端部は、モータ装置５８の回転軸部５９に固定して設けられている。すなわち、回転操作部５１の回転板５４と、モータ装置５８の回転軸部５９とは、回転接続部材５５を介して相互に接続されている。このため、回転操作部５１の回転板５４を回転操作することで、回転接続部材５５を介してモータ装置５８が回転駆動されるようになっている。
【００４４】
次に、図６にブラシ受け固定部材５７に回転接続部材５５を組み込んだうえで、両者を輪切りにした状態の断面図を示す。この図６からわかるようにブラシ受け固定部材５７は、上記回転接続部材５５の外周部との間に所定の空隙部６１を形成したうえで、該回転接続部材５５の外周部を覆うように、発電部本体５６の底部５６ａに固定して設けられている。このため、回転操作部５１の回転板５４の回転操作により回転する回転接続部材５５は、発電部本体５６の底部５６ａに固定して設けられているブラシ受け固定部材５７内を回転することとなる。
【００４５】
回転接続部材５５には、図６に示すように当該回転接続部材５５の内部から突出し、かつ、該回転接続部材５５に固定された一対のブラシ部６２が設けられている。各ブラシ部６２は、回転接続部材５５の長手方向に沿って所定の間隔を置いてそれぞれ設けられており、ブラシ受け固定部材５７の内周部５７ａに常時接触するように設けられている。従って、回転操作部５１の回転板５４の回転操作により回転接続部材５５が回転すると、各ブラシ部６２が、ブラシ受け固定部材５７の内周部５７ａに接触しながら回転することとなる。
【００４６】
ブラシ受け固定部材５７の内周部５７ａの、上記各ブラシ部６２が接触する部分には、この内周部５７ａに沿って、図５中に点線で示すような一対の円環状の導通部６３が設けられており、これら各導通部６３を介して、以下に説明する第２の発電機構で発電された電力を取り出すようになっている。
【００４７】
〔第２の発電機構の構成〕
次に、この第２の実施の形態の携帯電話機の場合、上記回転操作部５１のハンドル部５３内に、上記モータ装置５８と共に発電を行う第２の発電機構が設けられている。この第２の発電機構は、図７（ａ）に示すようにハンドル部５３の先端部（＝反発電部５２側の端部）に、該ハンドル部５３の内周に沿って設けられた円環状の磁石移動レール７１と、この磁石移動レール７１内に、該磁石移動レール７１に沿って移動自在に設けられた磁石７２とを有している。
【００４８】
また、この第２の発電機構は、図７（ａ）及び図７（ｂ）に示すように、それぞれ上記磁石移動レール７１に対して巻き付けられるかたちで、かつ、等間隔となるように設けられた計４つのコイル７３と、各コイル７３から得られた電力を全波整流処理すると共に４倍の電圧に変換して出力する全波整流４倍圧回路７４とを有している。
【００４９】
全波整流４倍圧回路７４からの出力を取り出すための出力ラインは、図５に示す回転接続部材５５の内部を介して、該回転接続部材５５に設けられた、図６に示す各ブラシ部６２の接続されている。
【００５０】
〔手動操作による充電動作〕
（第１の発電機構による電力発生動作）
このような第２の実施の形態の携帯電話機において、手動操作により電源装置１２の二次電池１５を充電する場合、ユーザは、図５に示す回転操作部５１に設けられたハンドル部５３を指で摘み、回転板５４を回転操作する。この回転操作により回転板５４に加えられた力は、回転接続部材５５を介してモータ装置５９の回転軸部５９に伝達される。これにより、回転軸部５９を介してモータ装置５９が回転駆動され、上述の第１の実施の形態で説明したように、いわゆる電磁誘導により電力が発生する。そして、この電力が上記ＤＣ／ＤＣコンバータ２９を介して整圧されて二次電池１５に供給され、該二次電池１５の充電が行われる。
【００５１】
（第２の発電機構による電力発生動作）
一方、回転操作部５１の回転板５４を回転操作すると、図７（ａ）及び図７（ｂ）に示すハンドル部５３に設けられた磁石７２が、磁石移動レール７１に沿って回転移動する。この磁石７２の回転移動により、磁石移動レール７１に設けられた各コイル７３を、該磁石７２が発生している磁力線が横切ることとなり、いわゆる電磁誘導により各コイル７３から電力が発生する。この各コイル７３から発生した電力は、全波整流４倍圧回路７４により全波整流処理が施されると共に４倍の電圧の電力に変換され、出力ラインを介して図６に示す各ブラシ部６２に供給される。
【００５２】
上述のように、回転操作部５１の回転板５４の回転操作により回転接続部材５５が回転すると、各ブラシ部６２が、ブラシ受け固定部材５７の内周部５７ａに沿って設けられている各導通部６３にそれぞれ接触しながら回転する。このため、各ブラシ部６２に供給された電力は、図５に示す各導通部６３を介して取り出すことが可能となる。
【００５３】
各導通部６３を介して取り出された当該第２の発電機構で発生した電力は、上記ＤＣ／ＤＣコンバータ２９を介して整圧されて二次電池１５に供給される。これにより、二次電池１５の充電が行われることとなる。
【００５４】
［第２の実施の形態の効果］
以上の説明から明らかなように、本発明の第２の実施の形態となる携帯電話機は、回転操作部５１の回転操作により発電するモータ装置５８と、回転操作部５１の回転板５４を回転操作するためのハンドル部５３に設けられ、該回転操作により発電する第２の発電機構とを有している。
【００５５】
このため、回転操作部５１のハンドル部５３を指で摘み、回転板５４を回転させるという、一種類の充電操作で、複数の発電機構（＝上記モータ装置５８及び第２の発電機構）を動作させて、二次電池１５に対して充電を行うことができる。従って、上記複数の発電機構により、効率よく二次電池１５を充電することができ、充電時間の短縮化を図ることができる。
【００５６】
［変形例１］
上述の各実施の形態の説明では、手動充電機構１６が設けられた電源装置１２を携帯電話機に内蔵するかたちで設けることとしたが、図１に点線のブロック図で電源装置２０として示すように、電源装置２０を当該携帯電話機に対して外付けする装置として提供してもよい。
【００５７】
この場合、ユーザは、携帯電話機とは別体とされた電源装置２０の手動充電機構１６を、上述の各実施の形態で説明したように手動操作することで、該電源装置２０の二次電池１５に対して充電を行う。そして、この充電を行った電源装置２０を、携帯電話機の充電端子１４を介して携帯電話機本体に接続する。
【００５８】
制御部１１は、充電端子１４の電圧を監視することで、該充電端子１４に対する電源装置２０の接続の有無を監視しており、該充電端子１４に対する電源装置２０の接続を検出した際に、この電源装置２０の二次電池１５から電力の供給を行うように電力供給回路１３を制御する。
【００５９】
このように、電源装置２０を携帯電話機とは別体とすることで、ユーザが手軽に、かつ、短時間で効率よく充電可能な電源装置２０を提供することができる。
【００６０】
［変形例２］
上述の各実施の形態の説明では、本発明を携帯電話機に適用することとしたが、本発明は、この携帯電話機の他、ＰＨＳ電話機（PHS：Personal Handyphone System）、ＰＤＡ装置（PDA：Personal Digital Assistant）やノート型のパーソナルコンピュータ装置等の他の携帯端末装置に適用してもよい。また、主に携帯型の電子機器である、例えばラジオ受信装置、テレビジョン受像機、記憶媒体の再生（記録）装置、電子カメラ装置、ノート型のパーソナルコンピュータ装置等の電子機器に適用してもよい。そして、いずれの機器に適用した場合でも、上述と同様の効果を得ることができる。
【００６１】
最後に、上述の各実施の形態は、あくまでも本発明の一例として開示したに過ぎないため、本発明は、上述の各実施の形態に限定されることはなく、上述の各実施の形態以外であっても、本発明に係る技術的思想を逸脱しない範囲であれば、設計等に応じて種々の変更が可能であることは勿論であることを付け加えておく。
【図面の簡単な説明】
【００６２】
【図１】本発明を適用した第１の実施の形態となる携帯電話機のブロック図である。
【図２】第１の実施の形態の携帯電話機に設けられている手動充電機構の模式図である。
【図３】第１の実施の形態の携帯電話機に設けられている手動充電機構の大径の回転ギヤと、当該回転ギヤに巻き付けられているケーブルとの接続関係を説明するための図である。
【図４】第１の実施の形態の携帯電話機に設けられている手動充電機構のハンドル部に設けられている第２の発電機構の模式図である。
【図５】本発明の第２の実施の形態となる携帯電話機に設けられている手動充電機構の一部透視図である。
【図６】第２の実施の形態の携帯電話機の手動充電機構に設けられている第２の発電機構で発電された電力の取り出しを説明するための図である。
【図７】第２の実施の形態の携帯電話機の手動充電機構に設けられている第２の発電機構を説明するための図である。
【符号の説明】
【００６３】
１  アンテナ、２  通信回路、３  スピーカ部、４  マイクロホン部、５  表示部、６  操作部、７  発光部（ＬＥＤ）、８  カメラ部、９  バイブレーションユニット、１０  メモリ、１１  制御部、１２  電源装置、１３  電源供給回路、１４  充電端子、１５  二次電池、１６  手動充電機構、２０  外付けの電源装置、２１  モータ装置、２２  ハンドル部、２３  モータ装置の回転軸、２４  小径の回転ギヤ、２５  大径の回転ギヤ、２６  大径の回転ギヤの回転軸、２７  ケーブル、２７ａ  ケーブルの芯線、２８  逆流防止用の整流ダイオード、２９  ＤＣ／ＤＣコンバータ、３０  第２の発電機構、３１  発電部、３２  全波整流４倍圧回路、３３  磁石、３４  磁石が移動する移動軸部、３５  コイル、４０  ケーブルの巻き戻し機構、５１  回転操作部、５２  発電部、５３  ハンドル部、５４  回転板、５５  回転接続部材、５６  発電部本体、５６ａ  発電部本体の底部、５７  ブラシ受け固定部材、５７ａ  ブラシ受け固定部材の内周部、５８  モータ装置、５９  モータ装置の回転軸、６１  空隙部、６２  ブラシ部、６３  導通部、７１  磁石移動レール、７２  磁石、７３  コイル、７４  全波整流４倍圧回路
【図１】
2007110818.tif 000003
【図２】
2007110818.tif 000004
【図３】
2007110818.tif 000005
【図４】
2007110818.tif 000006
【図５】
2007110818.tif 000007
【図６】
2007110818.tif 000008
【図７】
2007110818.tif 000009